(57)【要約】【課題】簡単な構成で電磁波を遮蔽することができ、特に、携帯電話からの高周波数の電磁波から心臓ペースメーカーを確実に防護することができる電磁波防護衣服を提供する。【解決手段】電磁波により共振して高周波電流を発生する受信アンテナを、電磁波によって悪影響を受けるおそれがある部位を覆うようにして衣服の一部に設けるとともに、該受信アンテナで発生した高周波電流を熱エネルギーに変換する負荷抵抗及び前記受信アンテナで発生した高周波電流を該受信アンテナから離れた位置で電磁波として放散させる放散用アンテナの少なくともいずれか一方を設け、携帯電話等からの有害電磁波を受信アンテナで吸収して高周波電流とし、この高周波電流を負荷抵抗で消滅させ、あるいは、放散用アンテナから放散させる。【選択図】    図２
2005042223.tif 000002
【特許請求の範囲】
【請求項１】
衣服の一部に、電磁波により共振して高周波電流を発生する受信アンテナと、該受信アンテナで発生した高周波電流を熱エネルギーに変換する負荷抵抗とを装着したことを特徴とする電磁波防護衣服。
【請求項２】
前記受信アンテナと前記負荷抵抗とが衣服に織り込まれ又は編み込まれ又はプリントされた導線を介して接続していることを特徴とする請求項１記載の電磁波防護衣服。
【請求項３】
前記負荷抵抗が衣服に織り込まれ又は編み込まれ又はプリントされていることを特徴とする請求項１又は２記載の電磁波防護衣服。
【請求項４】
前記負荷抵抗が衣服に貼付され又は縫い付けられていることを特徴とする請求項１又は２記載の電磁波防護衣服。
【請求項５】
衣服の一部に、電磁波により共振して高周波電流を発生する受信アンテナと、該受信アンテナで発生した高周波電流を該受信アンテナから離れた位置で電磁波として放散させる放散用アンテナとを装着したことを特徴とする電磁波防護衣服。
【請求項６】
前記受信アンテナと前記放散用アンテナとが導電性繊維を介して接続していることを特徴とする請求項５記載の電磁波防護衣服。
【請求項７】
前記放散用アンテナが衣服に織り込まれ又は編み込まれ又はプリントされていることを特徴とする請求項５又は６記載の電磁波防護衣服。
【請求項８】
前記放散用アンテナが衣服に貼付され又は縫い付けられていることを特徴とする請求項５又は６記載の電磁波防護衣服。
【請求項９】
前記放散用アンテナは、前記受信アンテナから２２ｃｍ以上離れた位置に設けられていることを特徴とする請求項５乃至８のいずれか１項記載の電磁波防護衣服。
【請求項１０】
前記放散用アンテナは、前記受信アンテナと同一構造であることを特徴とする請求項５乃至９のいずれか１項記載の電磁波防護衣服。
【請求項１１】
前記受信アンテナが衣服に織り込まれ又は編み込まれ又はプリントされていることを特徴とする請求項１乃至１０のいずれか１項記載の電磁波防護衣服。
【請求項１２】
前記受信アンテナが衣服に貼付され又は縫い付けられていることを特徴とする請求項１乃至１０のいずれか１項記載の電磁波防護衣服。
【請求項１３】
前記受信アンテナは、心臓ペースメーカー及び該心臓ペースメーカーから心臓に至る配線が埋め込まれた部位を覆うように配置されていることを特徴とする請求項１乃至１２のいずれか１項記載の電磁波防護衣服。
【請求項１４】
前記受信アンテナは、生殖臓器、胎児等の電磁波に敏感な部位を覆うように配置されていることを特徴とする請求項１乃至１２のいずれか１項記載の電磁波防護衣服。
【請求項１５】
前記受信アンテナは、異なる周波数で共振する複数のアンテナを備えていることを特徴とする請求項１乃至１４のいずれか１項記載の電磁波防護衣服。
【請求項１６】
前記受信アンテナは、異なる偏波面の電磁波に対応するための複数のアンテナを備えていることを特徴とする請求項１乃至１５のいずれか１項記載の電磁波防護衣服。
【請求項１７】
前記複数のアンテナが衣服に織り込まれ又は編み込まれ又はプリントされていることを特徴とする請求項１５又は１６記載の電磁波防護衣服。
【請求項１８】
前記複数のアンテナが衣服に貼付され又は縫い付けられる布地に設けられていることを特徴とする請求項１５又は１６記載の電磁波防護衣服。
【請求項１９】
前記電磁波の周波数が、８００ＭＨｚ帯、１．５ＧＨｚ帯及び１．９ＧＨｚ帯の少なくともいずれか一つであることを特徴とする請求項１乃至１８のいずれか１項記載の電磁波防護衣服。
【請求項２０】
前記受信アンテナは、Ｑが低く設定されていることを特徴とする請求項１乃至１９のいずれか１項記載の電磁波防護衣服。
【発明の詳細な説明】
【０００１】
【発明の属する技術分野】
本発明は、電磁波防護衣服に関し、詳しくは、携帯電話や電子レンジ、パソコン等の電子機器から放出される電磁波から人体や人体に埋め込まれた心臓ペースメーカー等の機器を防護する衣服に関する。
【０００２】
【従来の技術】
従来から、携帯電話や電子レンジ、パソコン等のＯＡ機器から放出される電磁波による人体への影響を抑えるため、また、携帯電話からの高周波数の電磁波が心臓ペースメーカーを誤作動させるのを防止するため、衣服に電磁波遮蔽機能（シールド機能）を付与することが行われている。電磁波遮蔽機能を有する衣服として、導電性繊維を有する生地を用いて衣服を製造することにより、全ての方向からの電磁波を反射させるようにした電磁波遮蔽衣類が知られている（例えば、特許文献１参照。）。
【０００３】
【特許文献１】
特開平１０−７７５０７号公報
【０００４】
【発明が解決しようとする課題】
しかし、従来の衣服では、電磁波を遮蔽するために衣服全体に導電性繊維を設けているため、衣服の重量が増加したり、着心地が悪くなったり、製造コストが上昇したりするなどの問題があった。また、ニッケル、銀、錫等を化学合成繊維あるいは天然繊維にメッキすることにより、電磁波による渦電流が導電性の部分に流れて電磁波を減衰させるものは、低い周波数領域では有効であるが、携帯電話のような電波帯域では反射により電磁波を遮蔽することになるので、携帯電話からの電磁波を遮蔽するためには、衣服全体を導電性にして誘電率の大きな人体への反射波の吸収を防ぐ必要がある。
【０００５】
そこで本発明は、簡単な構成で電磁波を遮蔽することができ、特に、携帯電話からの高周波数の電磁波から心臓ペースメーカーを確実に防護することができる電磁波防護衣服を提供することを目的としている。
【０００６】
【課題を解決するための手段】
上記目的を達成するため、本発明の電磁波防護衣服は、衣服の一部に、電磁波により共振して高周波電流を発生する受信アンテナと、該受信アンテナで発生した高周波電流を熱エネルギーに変換する負荷抵抗及び前記受信アンテナで発生した高周波電流を該受信アンテナから離れた位置で電磁波として放散させる放散用アンテナの少なくともいずれか一方とを装着したことを特徴としている。
【０００７】
前記受信アンテナと、前記負荷抵抗又は前記放散用アンテナとは、衣服に織り込まれ又は編み込まれ又はプリントされた導線を介して接続することができる。また、前記受信アンテナ、前記負荷抵抗及び前記放散用アンテナは、衣服に織り込まれ又は編み込まれ又はプリントされた状態、あるいは、衣服に貼付され又は縫い付けられた状態で衣服に装着することができる。
【０００８】
前記受信アンテナは、電磁波により悪影響を受けるおそれがある心臓ペースメーカー及び該心臓ペースメーカーから心臓に至る配線が埋め込まれた部位、あるいは、生殖臓器、胎児等の電磁波に敏感な部位を覆うように配置すればよく、衣服全体に設ける必要はない。また、前記受信アンテナは、異なる周波数で共振する複数のアンテナ及び異なる偏波面の電磁波に対応するための複数のアンテナを備えていることが望ましく、さらに、Ｑが低く設定されていることが望ましい。
【０００９】
防護対象電磁波としては、日常的に接触頻度が高い携帯電話の８００ＭＨｚ帯、１．５ＧＨｚ帯及び１．９ＧＨｚ帯を挙げることができる。なお、前記放散用アンテナは、前記受信アンテナから２２ｃｍ以上離れた位置に設けることが望ましい。この放散用アンテナは前記受信アンテナと同一構造に形成することができる。
【００１０】
【発明の実施の形態】
図１は、電磁波防護衣服に設ける受信アンテナ構造体の一例を示す正面図、図２は受信アンテナ構造体と放散用アンテナ構造体とを設けた電磁波防護衣服の一形態例を示す正面図である。
【００１１】
図２に示すような電磁波防護衣服１１に設けられる受信アンテナ構造体１２は、図１に示すように、異なる周波数でそれぞれ共振して高周波電流を発生する複数の受信アンテナ２１、２２，２３を、異なる偏波面の電磁波に対応できるように、同一周波数で共振するアンテナ同士を互いに直交するようにして配置している。各受信アンテナには、一般的なダイポール型アンテナを使用しており、各受信アンテナ中心部の給電点２４には、直接あるいは導線を介して高周波電流を熱エネルギーに変換する負荷抵抗が電気的に接続している。
【００１２】
各受信アンテナ２１，２２，２３の形状、長さや幅は、防護対象となる電磁波の状況によって任意に選定することができ、電磁波の周波数、空間及び人体の誘電率と導電性とを考慮して調整すればよい。基本的には、一般的に携帯電話で用いられている８００ＭＨｚ帯、１．５ＧＨｚ帯及び１．９ＧＨｚ帯の電磁波にそれぞれ対応するため、ダイポール型アンテナの場合は、８００ＭＨｚ帯に対応した約１８ｃｍの受信アンテナ２１、１．５ＧＨｚ帯に対応した約１０ｃｍの受信アンテナ２２、１．９ＧＨｚ帯に対応した約８ｃｍの受信アンテナ２３の３種類の受信アンテナを用いればよい。また、５〜２０ｃｍ程度の範囲で種々の長さの受信アンテナを組み合わせることにより、電子レンジやパソコンをはじめとする各種電子機器、電磁調理器等の機器から発生する各種周波数の電磁波を防護対象とすることができる。
【００１３】
受信アンテナが電磁波を吸収する空間の広さは、アンテナから１／４波長程度まで及ぶため、受信アンテナの位置が多少ずれていても、危険部位に電磁波が悪影響を及ぼすことはない。したがって、各受信アンテナは、密に配置する必要はなく、比較的波長の長い電磁波に対応する受信アンテナ２１は、波長の短い電磁波に対応する受信アンテナ２３よりも間隔を広げて配置することができる。
【００１４】
各アンテナは、アンテナとして機能可能な導電性物質を用いて形成することができる。衣服の所定位置へのアンテナの配置は、衣服の下地布等に、導電性繊維や柔軟な導電線を刺繍、模様編み、模様織り等の手法で織り込んだり、編み込んだりしておくこともでき、金属微粒子を含む導電性塗料を用いて衣服にプリントすることもできる。また、別の適当な大きさの生地等に導電性繊維や導電線を織り込んだり、編み込んだり、プリントしたりしたものを衣服の所定位置に貼り付けたり、縫いつけたりすることもでき、このような生地等を衣服の表地と裏地との間に挟み込むようにしてもよく、ポケット状の収納部に収納するようにしてもよい。
【００１５】
なお、導電性繊維は、化繊に銀、銅、錫等の金属をメッキした繊維、炭素繊維、直径３０〜７０ミクロンの金属繊維等の極めて細い繊維に、化学合成繊維、絹、木綿、麻、化繊等の非導電性の繊維を混ぜて撚糸した繊維等を用いることができる。
【００１６】
さらに、各受信アンテナの形状は、直線だけでなく、円形にしたり、屈曲させたり、あるいはスロット形式等を採用することができる。各受信アンテナの幅を広くしたり、屈曲させたりして各受信アンテナの共振周波数を広くすることにより、受信アンテナ構造体を通過して人体側に電磁波が漏れ出ることをより確実に防止できる。また、受信アンテナのＱ（共振回路の質）を下げて受信アンテナの共振特性を緩やかに設定しておくことにより、幅広い周波数域に対応することができる。
【００１７】
受信アンテナ構造体１２の装着位置及び大きさ（面積）は、電磁波に対する危険部位、例えば、鎖骨付近あるいは横隔膜の下部に設置される心臓ペースメーカー及び該心臓ペースメーカーから心臓に至る配線を電磁波から防護する場合は、シャツ等の衣服における前記心臓ペースメーカー及び配線が埋め込まれている鎖骨から心臓、あるいは、横隔膜から心臓にかけての領域を十分に覆えるように設定する。また、卵巣や睾丸等の生殖臓器、胎児等の電磁波に敏感な部位を電磁波から保護する際には、これらを十分に覆うことができるように位置や大きさを設定すればよい。
【００１８】
前記負荷抵抗は、各受信アンテナ２１，２２，２３が電磁波で共振して発生した高周波電流を熱エネルギーに変化させて消費するものであり、電磁波エネルギーを負荷抵抗で消費することにより、電磁波エネルギーを消滅させるようにしている。
【００１９】
負荷抵抗の抵抗値は、各受信アンテナ固有の特性抵抗値を基にして広帯域化や受信アンテナの抵抗値に合わせて設定すればよい。負荷抵抗は、その抵抗値等の条件によってボタン状のものに孔をあけた絶縁物の表面に導電性の塗料を塗布して所望の抵抗値とした抵抗体等の適当な抵抗体を用いることが可能であり、各受信アンテナそれぞれに適合した抵抗体からなる負荷抵抗を、受信アンテナと共に衣服に織り込んだり、編み込んだり、プリントしたりして各給電点２４に電気的に接続すればよい。
【００２０】
前記給電点２４への負荷抵抗の電気的な接続は、負荷抵抗の形状等に応じて任意の方法を採用することができ、刺繍の要領で両者を接続したり、接着剤で両者を接続固定したりする方法で行うことができ、必要に応じて適当な導線を用いることもできる。また、受信アンテナ構造体１２における各給電点２４の位置、即ち負荷抵抗の位置を適当な模様を描くように設定することにより、大きめの負荷抵抗を衣服表面に配置しても美観を損なうことはない。
【００２１】
このように、受信アンテナ構造体１２と負荷抵抗とを組み合わせて電磁波防護ユニットを形成し、この電磁波防護ユニットの受信アンテナ構造体１２を、電磁波に対する人体の危険部位を覆うようにして衣服の一部に設けておくことにより、人体の危険部位に向かう電磁波を受信アンテナ構造体１２で吸収して負荷抵抗で消滅させることができるので、電磁波が人体の危険部位（心臓ペースメーカーを含む）に悪影響を及ぼすことを回避できる。
【００２２】
前記電磁波防護ユニットは、衣服全体ではなく、導電性繊維等からなるアンテナ構造体を衣服の特定の部分にだけ配置すればよく、さらに、アンテナ構造体は、衣服を構成する布地を絶縁部分としてその中に線状の導電部分を設けて形成することができ、各アンテナ素子は適当な間隔で設けられることになるので、従来の電磁波シールド機能を有する衣服のように、衣服全面に導電性加工を行ったものに比べ、衣服としての機能、例えば吸湿性や通風性等が損なわれることがなく、軽量で柔軟性も損なわれないため、電磁波防護機能を有しながら着心地のよい衣服となる。
【００２３】
図２に示す電磁波防護衣服１１は、前記受信アンテナ構造体１２から負荷抵抗を取り除いた状態の受信アンテナ構造体１２を、一例として、前記心臓ペースメーカー及び配線が埋め込まれている鎖骨から心臓にかけての部位から２０ｃｍ程度離れた領域までも覆うようにして複数個配置するとともに、放散用アンテナ構造体１３を前記領域に悪影響を及ぼさない位置に配置し、両アンテナ構造体１２，１３間を導線１４で接続したものである。
【００２４】
このように、シャツ等の衣服における鎖骨から心臓にかけての領域を受信アンテナ構造体１２で覆うように配置するとともに、前記領域に悪影響を与えない肩部に放散用アンテナ構造体１３を配置することにより、人体の危険部位に向かう電磁波を受信アンテナ構造体１２で吸収し、導線１４を介して放散用アンテナ構造体１３から危険部位に悪影響を与えないようにして放射することができるので、電磁波が人体の危険部位（心臓ペースメーカーを含む）に悪影響を及ぼすことを回避できる。
【００２５】
前記放散用アンテナ構造体１３は、前記受信アンテナ構造体１２と同一構造を採用することが可能であるが、受信アンテナ構造体１２からの高周波電流を電磁波として放散させることができればよく、放散方向も任意であるから、受信アンテナ２１、２２，２３が３種類の場合は、これに対応した３種類の放散用アンテナを、少なくともそれぞれ各１個、計３個を設けておけばよい。放散用アンテナ構造体１３の位置は、できるだけ危険部位から離れていることが好ましいが、例えば心臓ペースメーカーの場合は、心臓ペースメーカー及びその配線から２２ｃｍ以上離れた位置に配置すべきである。
【００２６】
また、導線１４も、前記アンテナと同様に、導電体を衣服に織り込んだり、編み込んだり、プリントしたり、貼り付けたり、縫いつけたりすればよく、平行２線式給電線や同軸線路を用いることも可能である。これらのアンテナの各給電点への導線１４の接続は、前記負荷抵抗の接続と同様に、刺繍の要領で接続したり、接着剤で接続固定したりする方法で行うことができる。
【００２７】
なお、衣服の形態は任意であり、上着や下着の各種衣服に適用可能であり、受信アンテナ構造体１２と負荷抵抗とを組み合わせた電磁波防護ユニットと、受信アンテナ構造体１２と放散用アンテナ構造体１３とを導線１４で接続した電磁波防護ユニットとを一つの衣服に対して組み合わせて使用することもできる。さらに、アンテナの形式も特に限定されるものではなく、半波長ダイポールアンテナの他、受信アンテナとして用いられている各種形式や導波器構造、各種形状のアンテナ構造を採用することが可能である。
【００２８】
【発明の効果】
以上説明したように、本発明の電磁波防護衣服によれば、電磁波に対する人体の危険部位の近傍で受信アンテナにより電磁波を吸収するようにしているので、従来のように衣服全体あるいは一部に隙間無く導電性材料を配置したものに比べて軽量かつ柔軟な衣服を得ることができ、アンテナ同士の間の絶縁部分を構成する繊維によって吸湿性や通風性も確保することができる。
【００２９】
したがって、心臓ペースメーカーを着用した人がこの電磁波防護衣服を着用することにより、混雑した電車内や人混みの中にでも入ることができ、従来の電磁波シールド衣服のような違和感を感じることなく、安心して行動範囲を広げることができる。また、妊婦においても、自身で携帯電話を使用したり、電子レンジで調理したり、パソコンを操作したりしても、電磁波による悪影響が胎児に及ぶことが無くなり、通常通りの生活や作業を行うことができる。
【図面の簡単な説明】
【図１】電磁波防護衣服に設ける受信アンテナ構造体の一例を示す正面図である。
【図２】受信アンテナ構造体と放散用アンテナ構造体とを設けた電磁波防護衣服の一形態例を示す正面図である。
【符号の説明】
１１…電磁波防護衣服、１２…受信アンテナ構造体、１３…放散用アンテナ構造体、１４…導線、２１、２２，２３…受信アンテナ、２４…給電点
【図１】
2005042223.tif 000003
【図２】
2005042223.tif 000004